(57)【要約】  本発明の一態様による採光フィルム（１）は、第１基材（２）と、複数の多角柱状構造体からなる複数の採光部（３）と、複数の採光部（３）の間に設けられた空隙部（９）と、を備え、採光部（３）は、長手方向に直交する断面形状が４個の頂点を有し、全ての内角が１８０°未満の多角形であり、第１基材（２）と接する面に対応する多角形の１辺である第１辺と、第１辺の両端にあたる頂点である第１頂点および第２頂点と、第１辺上に位置しない第３頂点を含む複数の頂点とを有し、第３頂点を通る第１辺の垂線の長さは、複数の頂点のうちの第３頂点以外の頂点を通る第１辺の垂線の長さよりも長く、採光部３の形状は、第３頂点を通る第１辺の垂線を中心として非対称とされている。
2017022792.tif 000002
【特許請求の範囲】
【請求項１】
光透過性を有する第１基材と、
前記第１基材の第１面に設けられた光透過性を有する複数の多角柱状構造体からなる複数の採光部と、
前記複数の採光部の間に設けられた空隙部と、を備え、
前記多角柱状構造体は、前記多角柱状構造体の長手方向に直交する断面形状が４個以上の頂点を有し、全ての内角が１８０°未満の多角形であり、
前記多角形は、前記多角柱状構造体の前記第１基材と接する面に対応する前記多角形の１辺である第１辺と、前記第１辺の両端にあたる頂点である第１頂点および第２頂点と、前記第１辺上に位置しない第３頂点を含む複数の頂点と、を有し、
前記第３頂点を通る前記第１辺の垂線の長さは、前記複数の頂点のうちの前記第３頂点以外の頂点を通る前記第１辺の垂線の長さよりも長く、
前記多角形の形状は、前記第３頂点を通る前記第１辺の垂線を中心として非対称で、前記第３頂点を通る前記第１辺の垂線に対して前記第２頂点と同じ側に位置する頂点のうち、前記第３頂点に最も近い頂点を第４頂点とし、前記第１基材および前記多角柱状構造体の屈折率をｎとし、屈折率ｎの媒質と屈折率１．０の媒質との臨界角をθｎｃとしたとき、
前記第３頂点を通る前記第１辺の垂線に対して前記第４頂点と反対側の辺と前記基材の前記第１面とのなす角ａは式（１）の範囲を満たし、前記第３頂点と前記第４頂点との間の辺と前記基材の前記第１面とのなす角ｃは式（２）の範囲を満たし、前記第４頂点より前記第２頂点に近い側の辺と前記基材の前記第１面とのなす角ｄは式（３）の範囲を満たす、採光部材。
【数１】
2017022792.tif 000015
【数２】
2017022792.tif 000016
【数３】
2017022792.tif 000017
【請求項２】
前記多角形は５角形以上の多角形であり、
前記第３頂点を通る第１辺への垂線に対して前記第１頂点と同じ側に位置する頂点のうち、前記第１頂点に最も近い頂点として第５頂点が存在し、前記第５頂点と前記第１頂点の間の辺と前記基材の前記第１面とのなす角は、前記第３頂点と前記第５頂点の間の面と前記基材の前記第１面とのなす角と９０°との間であり、前記第５頂点を通る前記第１辺の垂線の長さは、前記第４頂点を通る前記第１辺の垂線の長さよりも短い、請求項１に記載の採光部材。
【請求項３】
前記多角形は５角形以上の多角形であり、
前記第４頂点と前記第２頂点の間にある頂点のうち、前記第２頂点に最も近い頂点として第６頂点が存在し、前記第６頂点と前記第２頂点の間の辺と前記基材の前記第１面とのなす角は、前記第４頂点と前記第６頂点との間の辺と前記基材の前記第１面とのなす角と９０°の間である、請求項１に記載の採光部材。
【請求項４】
前記多角形は６角形であり、
前記第５頂点と前記第６頂点が共に存在する、請求項２および請求項３に記載の採光部材。
【請求項５】
請求項１に記載の採光部材と、
前記採光部材を支持する支持部材と、を備え、
前記採光部材を通して外光を採り入れる、採光装置。
【請求項６】
前記採光部材が支持された前記支持部材を出し入れ可能に折り畳んで収納する収納機構をさらに備える、請求項５に記載の採光装置。
【請求項７】
前記採光部材が支持された前記支持部材を出し入れ可能に巻き取る巻き取り機構をさらに備える、請求項５に記載の採光装置。
【請求項８】
光透過性を有する第１基材と、
前記第１基材の第１面に設けられた光透過性を有する複数の多角柱状構造体からなる複数の採光部と、
前記複数の採光部の間に設けられた空隙部と、を備え、
前記多角柱状構造体は、前記多角柱状構造体の長手方向に直交する断面形状が４個以上の頂点を有し、全ての内角が１８０°未満の多角形であり、
前記多角形が、前記多角柱状構造体の前記第１基材と接する面に対応する前記多角形の１辺である第１辺と、前記第１辺の両端にあたる頂点である第１頂点および第２頂点と、前記第１辺上に位置しない第３頂点を含む複数の頂点と、を有し、
前記第３頂点を通る前記第１辺の垂線の長さが、前記複数の頂点のうちの前記第３頂点以外の頂点を通る前記第１辺の垂線の長さよりも長く、
前記多角形の形状が、前記第３頂点を通る前記第１辺の垂線を中心として非対称で、前記第３頂点を通る前記第１辺の垂線に対して前記第２頂点と同じ側に位置する頂点のうち、前記第３頂点に最も近い頂点を第４頂点とし、前記第１基材および前記多角柱状構造体の屈折率をｎとし、屈折率ｎの媒質と屈折率１．０の媒質との臨界角をθｎｃとしたとき、
前記第３頂点を通る前記第１辺の垂線に対して前記第４頂点と反対側の辺と前記基材の前記第１面とのなす角は式（１）の範囲を満たし、前記第３頂点と前記第４頂点との間の辺と前記基材の前記第１面とのなす角は式（２）の範囲を満たし、前記第４頂点より前記第２頂点に近い側の辺と前記基材の前記第１面とのなす角は式（３）の範囲を満たす採光部材を、
前記多角形において前記第３頂点を通る前記第１辺の垂線に対して面積が大きい側が鉛直方向下方を向くように前記採光部を配置し、前記採光部材を透明構造物に設置する、採光部材の設置方法。
【数４】
2017022792.tif 000018
【数５】
2017022792.tif 000019
【数６】
2017022792.tif 000020
【発明の詳細な説明】
【技術分野】
【０００１】
本発明のいくつかの態様は、採光部材、採光装置、および採光部材の設置方法に関するものである。
本願は、２０１５年８月４日に、日本に出願された特願２０１５−１５４３６２号に基づき優先権を主張し、その内容をここに援用する。
【背景技術】
【０００２】
建築物の窓等を通して太陽光を室内に採り込むための採光部材が特許文献１、２に提案されている。これら採光部材は、複数の単位プリズムと平坦面とが透光性の支持体の一方の面に形成されている。太陽光は、単位プリズムを通して室内に採り込まれる。
【先行技術文献】
【特許文献】
【０００３】
【特許文献１】特許第５１２３３６４号
【特許文献２】特表２０１３−５１４５４９号公報
【発明の概要】
【発明が解決しようとする課題】
【０００４】
ところが、特許文献１，２の構成においては、単位プリズムが曲面を有した形状とされている。単位プリズムが曲面を有した形状の場合、単位プリズムに入射した光が入射位置によって様々な方向に射出するおそれがある。つまり、採光フィルムを透過した光が室内に居る人の目の位置に到達することがある。このような光はグレアを引き起こし、室内に居る人が不快に感じることがある。【０００５】
また、従来の採光フィルムでは、室内の天井に向かう光によって室内の奥の方まで照射することが難しい。つまり、天井で反射された光によって室内を広範囲に亘って照らすことが困難であった。従来の採光フィルムでは、天井のうち窓ガラスに近い領域を集中的に照らすことになり、天井の照度分布に大きな差が生じてしまっていた。このため、室内の手前の方では眩しく、室内の奥の方では暗く感じられることがあった。この場合、夜間だけでなく、昼間においても照明設備を使用することで明るい環境を維持しており、自然光（太陽光）を十分に利用することができていない。【０００６】
さらには、太陽の日周運動・年周運動に因る太陽の位置変化のうち、特に太陽高度が低いときに採光効果が十分でないうえに、グレアが引き起こされ、室内に居る人が眩しさを感じるという問題があった。
太陽高度が低いときの採光性能の重要性について、以下に説明する。
たとえば中緯度地域においては、真南より窓面の方角が傾いた場合は、低高度（３０°以下）の太陽からの光に照射されやすい。図２９、図３０に中緯度地域である東京（北緯３５°）における太陽の軌道、（１）冬至、（２）春秋分、（３）夏至を示す。図２９は、東京での天空を半球であらわしたものである。図３０は、図２９の半球を天頂からみた平面図である。図３０の点線Ｔは、太陽高度が３０°の位置である。図３１Ａ〜図３１Ｃは、採光フィルムが設置された窓Ｍの各窓面方位での正面の太陽高度が年間に変化する範囲を表す。窓面の方位は、それぞれ図３１Ａが南であり、図３１Ｂが南西であり、図３１Ｃが西である。図３１Ａの太陽高度の変化の範囲は３１°以上であるのに対し、図３１Ｂでは１５°以上、図３１Ｃでは０°以上である。西側だけでなく、東側でも同様に、真南以外の方角を向いた窓面では、低高度の太陽の位置から光が照射される。図３２Ａ〜図３２Ｃは、各方位での太陽の高度の時間数のグラフである。
図３２Ａは真南であり、図３２Ｂは南西であり、図３２Ｃは西である。グラフからわかるように、窓面の向きが南西においては、真南の場合よりも低高度の太陽の位置から照射される時間数が多いことがわかる。よって、低高度の太陽光線を採光し、室内照明として利用することは、節電効果への寄与が大きい。【０００７】
中緯度地域だけでなく、高緯度地域ではよりいっそう低高度の太陽からの光が照射されやすい。図３３に、高緯度地域であるパリ・ロンドン（北緯５０°）での太陽の軌道（天頂からみた平面図）を示す。図３３からわかるように、窓面の方角が真南では年間の太陽高度が変化する範囲は１０度以上である。あらゆる方角の窓面に対して、低高度の太陽の位置から照射される。図３４は、緯度５０°の地域での、太陽高度の時間分布を表わす。
太陽の方位に関わらず、高度によって１年間の中での時間を積算したグラフである。図３４からわかるように、高緯度地域では中緯度地域よりもさらに低高度に太陽が存在する時間が多く、その光線の採光性能はより一層重要である。【０００８】
しかしながら、その反面、低高度の太陽からの光線はグレアを引き起こし室内に居る人に眩しさを感じさせやすい。その主要因を２つ挙げる。
一つ目の要因は、窓面照度の太陽高度依存性である。地面に鉛直に設置された窓面では、太陽光の窓面照度は、太陽の直射光線と窓面の法線とのなす角の余弦に比例する。つまり、低高度の位置で窓面照度は（余弦の値が大きいため）高い。他にも多くの場合では、採光フィルムよりも屋外側（太陽光の入射側）にガラスやアクリル板といった光透過性の基材が別途設置されるが、その基材の透過率も太陽の高度が低いほうが窓面の法線との角度が小さいため、高くなる。よって低高度での太陽光線は高い照度で窓面を照射する。採光フィルムの性能としては、窓面を照射する光線のうち、数パーセントでも室内に居る人の目線の位置に光を透過してしまうと、グレアを引き起こすことになってしまう。【０００９】
二つ目の要因は、建物に敷設された庇（ひさし）や屋根の影響である。図３５Ａ、図３５Ｂに示すように、天井から一定の高さまで設置された採光フィルムに対し、図３５Ａに示したように、高い高度からの太陽光線の大半は庇や屋根に遮られ、採光フィルムの一部分にしか、照射されない。図において、太陽光が照射される領域を符号Ｈで示し、庇や屋根によって影となる領域を符号Ｋで示す。一方で、図３５Ｂに示したように、低高度からの太陽光線は庇や屋根にあまり遮られず、採光フィルムの大部分を照射する。
仮に図３５Ａ、図３５Ｂで、窓面照度が等しいとして、採光フィルムに照射された部分から室内に居る人への方向への輝度が等しいとしたときの、人が感じる眩しさを比較する。窓面のような大面積の眩しさの指標は、一般的に、下記の式（１）のように『ＰＧＳＶ』で表される。式（１）からわかるように、同じグレアの輝度Ｌｓ、同じ背景輝度Ｌｂであっても、グレアの面積が大きいほうが立体角ωは大きくなり、ＰＧＳＶの値が大きくなる。つまり、グレアの面積が大きい方が、同じ輝度であっても人の目に眩しく感じられやすい。よって、低高度の太陽からの光線はグレアを引き起こしやすい。
以上のことから、低高度において、グレアを引き起こさずに高い採光効果を持つことは大変重要な課題である。【００１０】
【数１】
2017022792.tif 000003
【００１１】
本発明の一つの態様は、上記従来技術の問題点に鑑み成されたものであって、自然光（太陽）を十分に利用して、太陽の年周運動・日周運動による位置変化にかかわらず、また太陽光が直射する窓面であればその面の方角にかかわらず、室内の明るい環境を確保するとともに、グレア光をより抑制することのできる採光部材、採光装置、および採光部材の設置方法を提供することを目的の一つとしている。
【課題を解決するための手段】
【００１２】
本発明の一つの態様の採光部材は、光透過性を有する第１基材と、前記第１基材の第１面に設けられた光透過性を有する複数の多角柱状構造体からなる複数の採光部と、前記複数の採光部の間に設けられた空隙部と、を備え、前記多角柱状構造体は、前記多角柱状構造体の長手方向に直交する断面形状が４個以上の頂点を有し、全ての内角が１８０°未満の多角形であり、前記多角形は、前記多角柱状構造体の前記第１基材と接する面に対応する前記多角形の１辺である第１辺と、前記第１辺の両端にあたる頂点である第１頂点および第２頂点と、前記第１辺上に位置しない第３頂点を含む複数の頂点と、を有し、前記第３頂点を通る前記第１辺の垂線の長さは、前記複数の頂点のうちの前記第３頂点以外の頂点を通る前記第１辺の垂線の長さよりも長く、前記多角形の形状は、前記第３頂点を通る前記第１辺の垂線を中心として非対称で、前記第３頂点を通る前記第１辺の垂線に対して前記第２頂点と同じ側に位置する頂点のうち、前記第３頂点に最も近い頂点を第４頂点とし、前記第１基材および前記多角柱状構造体の屈折率をｎとし、屈折率ｎの媒質と屈折率１．０の媒質との臨界角をθｎｃとしたとき、前記第３頂点を通る前記第１辺の垂線に対して前記第４頂点と反対側の辺と前記基材の前記第１面とのなす角ａは式（２）の範囲を満たし、前記第３頂点と前記第４頂点との間の辺と前記基材の前記第１面とのなす角ｃは式（３）の範囲を満たし、前記第４頂点より前記第２頂点に近い側の辺と前記基材の前記第１面とのなす角ｄは式（４）の範囲を満たす。【００１３】
【数２】
2017022792.tif 000004
【００１４】
【数３】
2017022792.tif 000005
【００１５】
【数４】
2017022792.tif 000006
【００１６】
本発明の一つの態様の採光部材において、前記多角形は５角形以上の多角形であり、前記第３頂点を通る第１辺への垂線に対して前記第１頂点と同じ側に位置する頂点のうち、前記第１頂点に最も近い頂点として第５頂点が存在し、前記第５頂点と前記第１頂点の間の辺と前記基材の前記第１面とのなす角は、前記第３頂点と前記第５頂点の間の面と前記基材の前記第１面とのなす角と９０°との間であり、前記第５頂点を通る前記第１辺の垂線の長さは、前記第４頂点を通る前記第１辺の垂線の長さよりも短くてもよい。【００１７】
本発明の一つの態様の採光部材において、前記多角形は５角形以上の多角形であり、前記第４頂点と前記第２頂点の間にある頂点のうち、前記第２頂点に最も近い頂点として第６頂点が存在し、前記第６頂点と前記第２頂点の間の辺と前記基材の前記第１面とのなす角は、前記第４頂点と前記第６頂点との間の辺と前記基材の前記第１面とのなす角と９０°の間であってもよい。【００１８】
本発明の一つの態様の採光部材において、前記多角形は６角形であり、前記第５頂点と前記第６頂点が共に存在してもよい。【００１９】
本発明の一つの態様の採光装置は、本発明の一つの態様の採光部材と、前記採光部材を支持する支持部材と、を備え、前記採光部材を通して外光を採り入れる。【００２０】
本発明の一つの態様の採光装置は、前記採光部材が支持された前記支持部材を出し入れ可能に折り畳んで収納する収納機構をさらに備えてもよい。【００２１】
本発明の一つの態様の採光装置は、前記採光部材が支持された前記支持部材を出し入れ可能に巻き取る巻き取り機構をさらに備えてもよい。【００２２】
本発明の一つの態様の採光部材の設置方法は、光透過性を有する第１基材と、前記第１基材の第１面に設けられた光透過性を有する複数の多角柱状構造体からなる複数の採光部と、前記複数の採光部の間に設けられた空隙部と、を備え、前記多角柱状構造体は、前記多角柱状構造体の長手方向に直交する断面形状が４個以上の頂点を有し、全ての内角が１８０°未満の多角形であり、前記多角形が、前記多角柱状構造体の前記第１基材と接する面に対応する前記多角形の１辺である第１辺と、前記第１辺の両端にあたる頂点である第１頂点および第２頂点と、前記第１辺上に位置しない第３頂点を含む複数の頂点と、を有し、前記第３頂点を通る前記第１辺の垂線の長さが、前記複数の頂点のうちの前記第３頂点以外の頂点を通る前記第１辺の垂線の長さよりも長く、前記多角形の形状が、前記第３頂点を通る前記第１辺の垂線を中心として非対称で、前記第３頂点を通る前記第１辺の垂線に対して前記第２頂点と同じ側に位置する頂点のうち、前記第３頂点に最も近い頂点を第４頂点とし、前記第１基材および前記多角柱状構造体の屈折率をｎとし、屈折率ｎの媒質と屈折率１．０の媒質との臨界角をθｎｃとしたとき、前記第３頂点を通る前記第１辺の垂線に対して前記第４頂点と反対側の辺と前記基材の前記第１面とのなす角は式（５）の範囲を満たし、前記第３頂点と前記第４頂点との間の辺と前記基材の前記第１面とのなす角は式（６）の範囲を満たし、前記第４頂点より前記第２頂点に近い側の辺と前記基材の前記第１面とのなす角は式（７）の範囲を満たす採光部材を、前記多角形において前記第３頂点を通る前記第１辺の垂線に対して面積が大きい側が鉛直方向下方を向くように前記採光部を配置し、前記採光部材を透明構造物に設置する。【００２３】
【数５】
2017022792.tif 000007
【００２４】
【数６】
2017022792.tif 000008
【００２５】
【数７】
2017022792.tif 000009
【発明の効果】
【００２６】
本発明の一つの態様によれば、屋外の自然光（太陽光）を屋内に効率良く採り入れると共に、屋内に居る人に眩しさを感じさせずに、屋内の奥の方まで明るく感じさせることができる採光部材、このような採光部材を用いた採光装置、採光部材の設置方法を提供することが可能である。
【図面の簡単な説明】
【００２７】
【図１】第１実施形態における採光部材の全体構成を示す断面図。
【図２】第１実施形態における採光部材の複数の採光部の構成を示す斜視図。
【図３】第１実施形態の採光部を長手方向に対して垂直な方向に切断したときの断面図。
【図４】部屋モデルの一例を示す模式図。
【図５】採光フィルム１の採光部３に入射する入射光Ｌinの入射角θinと、第１基材２の第２面２ｂから射出される射出光Ｌoutの射出角θoutとの定義について説明する図。
【図６Ａ】採光部への入射から射出の進行方向を示す第１の図である。
【図６Ｂ】採光部への入射から射出の進行方向を示す第２の図である。
【図６Ｃ】採光部への入射から射出の進行方向を示す第３の図である。
【図６Ｄ】採光部への入射から射出の進行方向を示す第４の図である。
【図７Ａ】第１実施形態の採光部を透過する光の、太陽高度が低い場合の光路を示す第１の図。
【図７Ｂ】第１実施形態の採光部を透過する光の、太陽高度が低い場合の光路を示す第２の図。
【図７Ｃ】第１実施形態の採光部を透過する光の、太陽高度が低い場合の光路を示す第３の図。
【図８Ａ】各辺への入射光線とその光路、射出角および各辺の角度の関係を表わす第１の図。
【図８Ｂ】各辺への入射光線とその光路、射出角および各辺の角度の関係を表わす第２の図。
【図８Ｃ】各辺への入射光線とその光路、射出角および各辺の角度の関係を表わす第３の図。
【図９Ａ】第１実施形態の採光部を透過する光の、太陽高度が高い場合の光路を示す第１の図。
【図９Ｂ】第１実施形態の採光部を透過する光の、太陽高度が高い場合の光路を示す第２の図。
【図９Ｃ】第１実施形態の採光部を透過する光の、太陽高度が高い場合の光路を示す第３の図。
【図９Ｄ】第１実施形態の採光部を透過する光の、太陽高度が高い場合の光路を示す第４の図。
【図１０】第１実施形態の採光フィルム１の、採光部３の多角形の各辺への「入射角θinと射出角θout」の関係を示す図。
【図１１】第２実施形態における採光部材の全体構成を示す断面図。
【図１２】第２実施形態の採光部の断面形状を示す図。
【図１３】第３実施形態における採光部材の全体構成を示す断面図。
【図１４】第３実施形態の採光部の断面形状を示す図。
【図１５】第３実施形態の採光部に入射した光の光路を示す図。
【図１６】第３実施形態の採光フィルム２２の、採光部２３の多角形の各辺への「入射角θinと射出角θout」の関係を示す図。
【図１７】第４実施形態における採光部材の全体構成を示す断面図。
【図１８】第４実施形態の採光部の断面形状を示す図。
【図１９】第１実施形態における採光フィルムの他の構成例を示す図。
【図２０】第２実施形態における採光フィルムの他の構成例を示す図。
【図２１】第４実施形態における採光フィルムの他の構成例を示す図。
【図２２】ロールスクリーンの概略構成を示す斜視図。
【図２３】図２２中に示すロールスクリーンのＥ−Ｅ’線に沿った断面図。
【図２４】ブラインドの概略構成を示す斜視図。
【図２５Ａ】ブラインドの概略構成を示す第１の斜視図。
【図２５Ｂ】ブラインドの概略構成を示す第２の斜視図。
【図２６】ブラインドが備える採光スラットの概略構成を示す断面図。
【図２７】ブラインドが備える採光スラットの向きを反転させた状態を示す断面図。
【図２８】採光スラットの変形例を示す断面図。
【図２９】中緯度地域である東京（北緯３５°）における天空を半球で表した図。
【図３０】図２９の半球を天頂からみた平面図。
【図３１Ａ】窓面方位が南の場合での正面の太陽高度が年間に変化する範囲を示す図。
【図３１Ｂ】窓面方位が南西の場合での正面の太陽高度が年間に変化する範囲を示す図。
【図３１Ｃ】窓面方位が西の場合での正面の太陽高度が年間に変化する範囲を示す図。
【図３２Ａ】方位が南の場合での太陽の高度の時間数のグラフ。
【図３２Ｂ】方位が南西の場合での太陽の高度の時間数のグラフ。
【図３２Ｃ】方位が西の場合での太陽の高度の時間数のグラフ。
【図３３】高緯度地域であるパリ・ロンドン（北緯５０°）における太陽の軌道の図（天頂からみた平面図）。
【図３４】太陽高度の時間分布を示すグラフ。
【図３５Ａ】庇がある建物での窓面を照射する光線の図であって、太陽高度が高いときを示す図。
【図３５Ｂ】庇がある建物での窓面を照射する光線の図であって、太陽高度が低いときを示す図。
【図３６】採光装置及び照明調光システムを備えた部屋モデルであって、図３７のＪ−Ｊ’線に沿う断面図。
【図３７】部屋モデルの天井を示す平面図。
【図３８】採光装置によって室内に採光された光（自然光）の照度と、室内照明装置による照度（照明調光システム）との関係を示すグラフ。
【発明を実施するための形態】
【００２８】
以下、本発明の実施形態につき、図面を参照して説明する。なお、以下の説明に用いる各図面では、各部材を認識可能な大きさとするため、各部材の縮尺を適宜変更している。
【００２９】
［第１実施形態］
第１実施形態の採光フィルムは、例えば窓に貼り付ける形態で太陽光を室内に採り入れる採光部材の一つの例である。
図１は、本発明の第１実施形態である採光部材の全体構成を示す断面図である。
図２は、第１実施形態における採光部材の複数の採光部の構成を示す斜視図である。
図３は、採光部を長手方向に対して垂直な方向に切断したときの断面図である。
【００３０】
図１に示すように、本実施形態の採光フィルム（採光部材）１は、第１基材２と、複数の採光部（多角柱状構造体）３と、第１接着層４と、を備えている。複数の採光部３は、第１基材２の第１面２ａに設けられている。第１接着層４は、第１基材２の第１面２ａの周縁部に設けられ、採光フィルム１の全体を窓ガラス（透明構造物）８に接着する役目を果たす。複数の採光部３の間は空隙部９となっている。
ここで、紙面の上下方向と、窓ガラス８に貼り合わされた採光フィルム１の上下方向（ＸＹ方向）とは一致する。
本実施形態においては、窓ガラス８の室内側の面に採光フィルム１が貼り合わされている。
【００３１】
第１基材２としては、例えば熱可塑性ポリマーや熱硬化性樹脂、光重合性樹脂等の樹脂類等からなる光透過性の基材が用いられる。アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等などからなる光透過性の基材が用いられる。具体的には、例えばトリアセチルセルロース（ＴＡＣ）フィルム、ポリエチレンテレフタレート（ＰＥＴ）フィルム、シクロオレフィンポリマー（ＣＯＰ）フィルム、ポリカーボネート（ＰＣ）フィルム、ポリエチレンナフタレート（ＰＥＮ）フィルム、ポリエーテルサルホン（ＰＥＳ）フィルム、ポリイミド（ＰＩ）フィルム等の光透過性の基材が好ましく用いられる。
【００３２】
本実施形態では、一例として厚さが１００μｍのＰＥＴフィルムが用いられる。第１基材２の全光線透過率は、ＪＩＳ  Ｋ７３６１−１の規定で９０％以上が好ましい。これにより、十分な透明性を得ることができる。
【００３３】
第１基材２の厚みは任意であり、フィルム状に限らず、板状であってもよい。また、複数の基材が積層されてなる積層構成であってもよい。
【００３４】
採光部３は、例えばアクリル樹脂やエポキシ樹脂、シリコーン樹脂等の光透過性および緩効性を有する有機材料で構成されている。これら樹脂に重合開始剤、カップリング剤、モノマー、有機溶媒などを混合した透明樹脂製の混合物を用いることができる。さらに、重合開始剤は安定剤、禁止剤、可塑剤、蛍光増白剤、離型剤、連鎖移動剤、他の光重合性単量体等のような各種の追加成分を含んでいてもよい。
【００３５】
本実施形態においては、熱インプリント法を用いて、複数の採光部３を第１基材２上に形成した。採光部３の形成方法としては、熱インプリント法に限らず、例えば、ＵＶインプリント法、熱プレス法、射出成型法、押出成形法、圧縮成型法等を用いてもよい。溶融押し出し法や型押し出し法などの方法では、第１基材２と採光部３とは同一の樹脂によって一体に形成される。
【００３６】
本実施形態では、採光部３の一例として、ポリメタクリル酸メチル（ＰＭＭＡ）を用いている。採光部３の全光線透過率は、ＪＩＳ  Ｋ７３６１−１の規定で９０％以上が好ましい。これにより、十分な透明性を得ることができる。
【００３７】
採光部３は、図２に示すように、一方向（図４の紙面と垂直な方向）に直線状に細長く延び、長手方向と直交する断面形状が多角形状をなす。具体的に採光部３は、その断面形状において４つの頂点を有し、全ての内角が１８０°未満とされた４角形である。複数の採光部３は、各々の長手方向が矩形状の第１基材２の一辺に平行するとともに、幅方向に互いに間隔をおいて配置されている。なお、隣り合う採光部３同士（隣り合う一方の採光部３の第１頂点ｑ１と他方の採光部３の第２頂点ｑ２）が接していてもよい。
【００３８】
図３に示すように、各採光部３の断面形状は、第１辺３Ｆ、第２辺３Ａ、第３辺３Ｃ、第４辺３Ｄと、第１頂点ｑ１、第２頂点ｑ２、第３頂点ｑ３、第４頂点ｑ４と、を有して構成されている。第１頂点ｑ１及び第２頂点ｑ２は、第１辺３Ｆの両端にあたる頂点であり、上方に位置する頂点が第１頂点ｑ１であり、下方に位置する頂点が第２頂点ｑ２である。また、第３頂点ｑ３、第４頂点ｑ４は、第１辺３Ｆ上に位置しない頂点である。
【００３９】
具体的に、第１辺３Ｆは第１基材２の第１面２ａと接する。第２辺３Ａは第１頂点ｑ１と第３頂点ｑ３とを繋ぎ、第１辺３Ｆとともに第１頂点ｑ１を構成する。第３辺３Ｃは第３頂点ｑ３と第４頂点ｑ４とを繋ぎ、第４辺３Ｄは第４頂点ｑ４と第２頂点ｑ２とを繋ぐ辺である。
また、第３頂点ｑ３を通る第１辺３Ｆの垂線の長さＬは、頂点ｑ４を通る第１辺３Ｆの垂線の長さＬ１よりも長い。
【００４０】
すなわち、本実施形態における採光部３は、第３頂点ｑ３を通る第１辺３Ｆの垂線を中心としてその両側の形状が非対称とされた、断面形状が４角形の多角柱状構造体である。
【００４１】
また、第２辺３Ａと第１辺３Ｆとのなす角度ａは、式（８）を満たす。
【００４２】
【数８】
2017022792.tif 000010
【００４３】
また、第３辺３Ｃと第１辺３Ｆとのなす角度をｃとし、屈折率ｎの媒質と屈折率１．０の媒質との臨界角をθncとすると、角度ｃは式（９）を満たす。
【００４４】
【数９】
2017022792.tif 000011
【００４５】
また、第４辺３Ｄは第１辺３Ｆとのなす角度をｄとし、第２辺３Ａから入射した光線の屈折角の角度をａ’とすると、角度ｄは式（１０）を満たす。
【００４６】
【数１０】
2017022792.tif 000012
【００４７】
図１に戻り、採光部３の短手方向の幅をＷ、採光部３の第１基材２の法線方向の高さをＬ、採光部３の配列方向のピッチをＰとしたときに、採光部３の短手方向の幅Ｗ、高さＬ、およびピッチＰは、全ての採光部３に亘っておおよそ等しい。
【００４８】
幅方向で隣り合う採光部３の間に設けられる空隙部９には空気が存在している。したがって、空隙部９の屈折率は概ね１．０である。空隙部９の屈折率を１．０とすることにより、空隙部９と採光部３との界面（第１辺３Ｆ〜第４辺３Ｄ）における臨界角が最小となる。本実施形態の場合、空隙部９には空気が存在しているとしたが、空隙部９には、窒素などの不活性ガスからなる不活性ガスが存在していてもよく、減圧状態とされていてもよい。
【００４９】
なお、第１基材２の屈折率と採光部３の屈折率とは略同等であることが望ましい。その理由は、例えば、第１基材２の屈折率と採光部３の屈折率とが大きく異なる場合、光が採光部３から第１基材２に入射したときに、これら採光部３と第１基材２との界面で不要な光の屈折や反射が生じることがある。この場合、所望の採光特性が得られない、輝度が低下するなどの不具合が生じる虞があるからである。
【００５０】
第１接着層４は、第１基材２の第１面２ａと窓ガラス８の内面８ａとを接着する。第１接着層４は、採光フィルム１の構成要素として当初から第１基材２の第１面２ａに設けられていてもよいし、設けられていなくてもよい。第１接着層４が設けられていない場合には、採光フィルム１を窓ガラス８に貼り付ける作業を行う際に第１基材２の第１面２ａに供給すればよい。第１接着層４には一般的な光学接着剤が用いられる。第１接着層４の屈折率は、第１基材２の屈折率もしくは窓ガラス８の屈折率と等しいことが望ましい。第１接着層４の屈折率が第１基材２の界面もしくは第１接着層４と窓ガラス８との界面において屈折が生じなくなる。
【００５１】
以上のような構成を有する採光フィルム１は、例えば、窓ガラス８の内面８ａ（室内側の面）に、複数の採光部３が形成された面側（第１基材２の第１面２ａ側）を対向させた状態で窓ガラス８に貼り付けて使用される。このとき、採光フィルム１は、採光部３の長手方向が水平方向を向き、複数の採光部３の配列方向が鉛直方向を向くように窓ガラス８に貼り付けられる。具体的には、図２に示すように、採光部３の第３頂点ｑ３を通る第１辺３Ｆの垂線に対して面積が大きい側が鉛直方向下方となる向きであって、採光部３の第２辺３Ａが上面となる向きで貼り付けられる。
【００５２】
太陽から直接届く光は、窓ガラス８に設置された採光フィルム１に対して斜め上方から入射する。採光フィルム１に入射した光は、窓ガラス８を透過して採光部３に到達する。
【００５３】
ここで、説明の便宜上、図１に示す採光部３に入射した光のうち任意の１本の光束が採光部３の第４辺３Ｄ（反射面）に入射する点を入射点とする。入射点を通り、第１基材２の第１面２ａに直交する仮想的な直線を直線ｆとする。直線ｆを含む水平面を境界とする２つの空間のうち、入射点に入射する光が存在する側の空間を第１空間Ｓ１とし、入射点に入射する光が存在しない側の空間を第２空間Ｓ２とする。
【００５４】
例えば、採光部３の第２辺３Ａから入射した光Ｌ１は、採光部３の第４辺３Ｄで全反射して斜め上方、すなわち第１空間Ｓ１の側に向かって進み、採光部３の第１辺３Ｆから射出される。採光部３から射出された光Ｌ１は、第１基材２を透過して、採光フィルム１から室内の天井に向けて射出される。採光フィルム１から天井に向けて射出された光は、天井で反射して室内を照らすため、照明光の代わりとなる。したがって、このような採光フィルム１を用いた場合、日中に建物内の照明設備が消費するエネルギーを節約する省エネルギー効果が期待できる。
【００５５】
ここで、図４に示す部屋モデル１０００を用いて採光フィルム１の採光特性について説明する。図４は、部屋モデル１０００の一例を示す模式図である。
【００５６】
部屋モデル１０００は、例えば、採光フィルム１のオフィスでの使用を想定したモデルである。具体的に、図４に示す部屋モデル１０００は、天井１００１と、床１００２と、窓ガラス１００３が取り付けられた手前の側壁１００４と、手前の側壁１００４と対向する奥の側壁１００５とで囲まれる室内１００６に、窓ガラス１００３を通して屋外の光Ｌが斜め上方から入射する場合を模している。採光フィルム１は、窓ガラス１００３（上記窓ガラス８に相当）の内面の上部側に貼り付けられている。
【００５７】
部屋モデル１０００では、室内１００６の高さ寸法（天井１００１から床１００２までの寸法）Ｈを２．７ｍとし、窓ガラス１００３の縦寸法Ｈ２を天井１００１から１．８ｍとし、採光フィルム１の縦寸法Ｈ１を天井１００１から０．６ｍとしている。
【００５８】
部屋モデル１０００では、室内１００６の中の方に椅子に座っている人Ｍａと、室内１００６の奥の方に床１００２に立っている人Ｍｂとがいる。椅子に座っている人Ｍａの眼の高さ下限Ｈａは、床１００２から０．８ｍとし、床１００２に立っている人Ｍｂ、Ｍｂの眼の高さ上限Ｈｂは、床１００２から１．８ｍとしている。
【００５９】
室内１００６に居る人Ｍａ，Ｍｂに眩しさを感じさせる領域（以下、グレア領域という。）Ｇは、室内に居る人Ｍａ，Ｍｂの眼の高さＨａ，Ｈｂの範囲である。また、室内１００６の窓ガラス１００３の付近は、主として採光フィルム１が貼り付けられていない窓ガラス１００３の下部側を通して屋外の光Ｌが直接照射される領域Ｆである。この領域Ｆは、手前の側壁１００４から１ｍの範囲としている。したがって、グレア領域Ｇは、床１００２から０．８ｍ〜１．８ｍの高さ範囲のうち、領域Ｆを除いた手前の側壁１００４より１ｍ離れた位置から奥の側壁１００５までの範囲となっている。
【００６０】
グレア領域Ｇは、人の移動する領域内における眼の位置に基づいて規定される領域である。たとえ、天井１００１側に進行する光によって室内１００６が明るく照明されたとしても、グレア領域Ｇに到達する光が多いと室内１００６に居る人が不快を感じやすくなる。
【００６１】
本実施形態の採光フィルム１は、窓ガラス１００３を通して室内１００６に入射する光Ｌのうち、グレア領域Ｇに向かう光の輝度を低減しながら、天井１００１に向かう光の輝度を相対的に高めることが可能となっている。
なお、天井１００１で反射された光Ｌ’は、照明光の代わりとして、室内１００６を広範囲に亘って明るく照らすことになる。この場合、室内１００６の照明設備を消灯することによって、日中に室内１００６の照明設備が消費するエネルギーを節約する省エネルギー効果が期待できる。
【００６２】
次に、図５および図６Ａ〜図６Ｄを用いて、採光フィルム１の採光部３に入射する入射光Ｌinの入射角θinと、第１基材２の第２面２ｂから射出される射出光Ｌoutの射出角θoutとの定義について説明する。
図５は、採光フィルム１の採光部３に入射する入射光Ｌinの入射角θinと、第１基材２の第２面２ｂから射出される射出光Ｌoutの射出角θoutとの定義について説明する図である。図６Ａ〜図６Ｄは採光フィルム１に入射した光が、採光フィルムとその周囲の媒質との屈折率差によって屈折・反射し、基材の室内側の面から射出する進行方向を示す光路図である。なお、図４を適宜参照する。
【００６３】
図５に示すように、第１基材２の法線に沿った方向の角度を０°としたとき、太陽は第１基材２の法線よりも常に上方に位置するため、太陽からの入射光Ｌinの入射角θin（法線に対して時計回りの角度）を正（＋）と定義する。また、射出光Ｌoutの射出角θoutでは、法線に対して反時計回りの角度を正（＋）とし、法線に対して時計回りの角度を負（−）とする。つまり、射出角θoutは、第１基材２の法線よりも上方であって天井１００１に向かう方向の角度を正（＋）とし、第１基材２の法線よりも下方であって床１００２に向かう方向の角度を負（−）として定義する。射出角θoutが負（−）の範囲のうち、室内に居る人の目線の位置を通ってグレアを引き起こす角度範囲は、図４より０〜−４５°である。よって、射出角θoutが−４５°以下であれば、人の目線を通らず窓に近い床に到達する。
【００６４】
図６Ａ、図６Ｂに示すように、第３頂点ｑ３を通る第１辺３Ｆへの垂線に対し、下側（第２頂点ｑ２のある側）の辺、図６Ａでは第３辺３Ｃ、図６Ｂでは第４辺３Ｄから入射した光は、屈折して斜め上方向へ進行し、採光フィルム１の基材２から射出する。そのとき、射出角θout＞０°となる。第３頂点ｑ３を通る第１辺３Ｆへの垂線に対し、上側（第１頂点ｑ１のある側）の辺、第２辺３Ａから入射する光のうち、図６Ｃに示すように、第１頂点ｑ１近傍から入射する光は、屈折して斜め下方へ進行し、採光フィルム１の基材２から射出する。そのとき、射出角θout＜０°となる。図６Ｄに示すように、第２辺３Ａに照射される光のうち、第３頂点ｑ３近傍から入射する光は、屈折して斜め下方へ進行し、第３頂点ｑ３を通る第１辺への垂線に対し、下側（第２頂点ｑ２のある側）の辺、この図においては第４辺３Ｄで全反射して、進行方向を斜め上方へ転向した後、採光フィルム１の基材２から射出する。そのとき、射出角θout＞０°となる。
【００６５】
次に、採光部３を透過する光の光路例について説明する。
太陽光の高度変化によって採光フィルム１に入射する光の入射角が変化する。
図７Ａ〜図７Ｃは、高度が３０°未満（入射角θin＜３０°）のときの採光部３を透過する光の光路を示す図である。
【００６６】
第２辺３Ａと第１辺３Ｆとのなす角の角度ａは、上述した式（１）を満たす。第３辺３Ｃと第１辺３Ｆとのなす角の角度をｃとし、屈折率ｎの媒質と屈折率１．０の媒質との臨界角をθncとすると、角度ｃは、上述した式（２）を満たす。第４辺３Ｄは第１辺３Ｆとのなす角度をｄとし、第２辺３Ａから入射した光線の屈折角の角度をａ’とすると、角度ｄは、上述した式（３）を満たす。
【００６７】
図７Ａに示すように、採光部３の第３辺３Ｃから入射した光Ｌは、第３辺３Ｃで屈折した後、斜め上方へ進行し、採光フィルム１から第１空間Ｓ１へ向かって射出する。図７Ｂに示すように、採光部３の第２辺３Ａの第１頂点ｑ１付近から入射した光Ｌは、第２辺３Ａで屈折され、斜め下方に向かって進み、第１基材２の第２面２ｂにおいてさらに斜め下方に屈折されて第２空間Ｓ２へ向かって射出する。図７Ｃに示すように、第２辺３Ａの第３頂点ｑ３近傍から入射した光線は、第２辺３Ａで屈折され、斜め下方へ向かって進む。第４辺３Ｄにおいて全反射され、方向を転換して斜め上方に向かって進み、第１基材２の第２面２ｂにおいてさらに斜め上方に屈折されて第１空間Ｓ１へ向かって射出する。
【００６８】
図８Ａ〜図８Ｃに各辺からの入射光線とその光路、射出角および各辺の角度の関係を詳細に示す。
図８Ａに示すように、太陽光の入射角をθinとすると、第３辺３Ｃへの入射角（ｃ＋θin）が９０°より小さいときには、第３辺３Ｃから太陽光が入射し得る。
採光部３の材料の屈折率ｎとする。第３辺３Ｃに対する入射角度が（ｃ＋θin）であり、屈折角をαとし、屈折率ｎの材料からなる採光部３と屈折率１．０の空気との臨界角をθncとすると、αが最大となるのは、臨界角θncのときである。
角ｃは式（２）を満たしているので、θncは角ｃより小さい。屈折角αは角ｃより小さく、第３辺３Ｃから入射した光線は、屈折後に斜め上方へ進行し、第１基材２の第２面２ｂにおいてさらに斜め上方に屈折されて射出角θoutで天井方向へ進行する。採光フィルム１からの射出角θoutはθout＞０°となる。よって、第３辺３Ｃからの入射光は、天井を照射する採光効果がある。
【００６９】
図８Ｂに示すように、入射光線Linがθinで採光部３に入射し、採光フィルム１から射出角θoutで射出するとき、射出角θoutは負（−）である。射出角が最も大きくなる（水平（０°）に最も近くなる）のは入射角θin＝０°のときである。
入射角θin＝０°のとき、第２辺３Ａに対して角度ａで入射したときの屈折角の角度をａ’とする。
屈折角度ａ’は、式（１１）で示される通りである。
【００７０】
【数１１】
2017022792.tif 000013
【００７１】
第２辺３Ａに照射された光のうち、第１頂点ｑ１に近い側に入射した光線は、屈折後の光線は水平より（ａ−ａ’）の傾きで斜め下方向に進行し、第１基材２の第２面２ｂにおいて屈折し、さらに斜め下方に射出する。採光フィルム１からの射出角θoutは、式（１２）で示される通りである。
第２辺３Ａは式（８）を満たしているので、射出角θout＜−４５°となり、第２辺３Ａから入射した光線は室内でグレアを引き起こさない。
【００７２】
【数１２】
2017022792.tif 000014
【００７３】
図８Ｃに示すように、第２辺３Ａの第３頂点ｑ３に近い側に入射した光線Ｌinは、第２辺３Ａで屈折され、斜め下方へ向かって進む。第４辺３Ｄにおいて全反射され、方向を転換して斜め上方に向かって進み、第１基材２の第２面２ｂにおいてさらに斜め上方に屈折されて第１空間Ｓ１へ向かって射出する。
第４辺３Ｄと基材とのなす角の角度をｄ、第２辺３Ａから入射角度ａで入射した光線の屈折角の角度をａ’とすると、角度ｄは、上述した式（４）を満たしている。
第２辺３Ａに照射された光のうち、第３頂点ｑ３に近い側に入射した光線は、屈折し、斜め下方に進行し、第４辺３Ｄで全反射して進行方向を斜め上方へ転換した後、採光フィルム１から射出角θoutが正（＋）で天井方向へ進行する。よって、第２辺３Ａに照射される光のうち第３頂点ｑ３に近い側から入射する光は、天井を照射する採光効果がある。
【００７４】
図９Ａ〜図９Ｄは、高度が３０°以上（入射角θin＞３０°）のときの採光部３を透過する光の光路を示す図である。
図９Ａに示すように、採光部３の第３辺３Ｃから入射した光Ｌは、第３辺３Ｃで屈折した後、斜め上方へ進行し、採光フィルム１から第１空間Ｓ１へ向かって射出する。図７Ａのθin＜３０°のときよりも、θoutは小さい。図９Ｂに示すように、採光部３の第２辺３Ａの第１頂点ｑ１に近い側から入射した光Ｌは、第２辺３Ａで屈折され、斜め下方に向かって進み、第１基材２の第２面２ｂにおいてさらに斜め下方に屈折されて第２空間Ｓ２へ向かって射出する。図７Ｂのθin＜３０°のときよりも、θoutは小さい。図９Ｃに示すように、第２辺３Ａの第３頂点ｑ３に近い側から入射した光線は、第２辺３Ａに入射した後に屈折され、斜め下方へ向かって進む。光は、第４辺３Ｄにおいて全反射され、方向を転換して斜め上方に向かって進み、第１基材２の第２面２ｂにおいてさらに斜め上方に屈折されて第１空間Ｓ１へ向かって射出する。図７Ｃのθin＜３０°のときよりも、θoutは大きい。図９Ｄに示すように、第２辺３Ａの第３頂点ｑ３近傍から入射した光線は、第２辺３Ａに入射した後に屈折され、斜め下方へ向かって進む。第３辺３Ｃにおいて全反射された後、第４辺３Ｄにおいてさらに全反射されて、方向を転換して斜め上方に向かって進み、第１基材２の第２面２ｂにおいてさらに斜め上方に屈折されて、第１空間Ｓ１へ向かって射出する。射出角θout＞０°である。
【００７５】
図１０に本実施形態の採光フィルム１の、採光部３の４角形の各辺への入射角θinと射出角θoutとの関係を示す。θout＞０°となる光線は天井を照射し、採光効果に寄与する。特に範囲Ｒ１で示すθoutが０〜２０°へ射出する光線は、天井の奥も照射し、室内全体を照明する効果がある。範囲Ｒ２で示す射出角θoutが−４５〜０°となる光線は、室内に居る人の目線を通り、グレアを引き起こす。射出角θout＜−４５°となる光線は室内の窓側付近の床を照射する。
【００７６】
第３辺３Ｃからの入射光線は図１０中の符号１で示される。全てのθinに対し、θout＞０°となり、採光に寄与する光線である。θinが０°付近ではθout＞２０°であるが、右肩下がりの傾き（負の傾斜）であり、あるθinでθout〜０°に達する。第２辺３Ａの第１頂点ｑ１付近からの入射光線は（２）で示される。全てのθinに対し、θout＜−４５°となっており、グレアを引き起こさない。第２辺３Ａの第３頂点ｑ３近傍からの入射光線は（３）で示される。全てのθinに対し、θout＞０°となり、採光に寄与する光線である。θinが０°付近ではθout〜０°で、右肩上がりの傾き（正の傾斜）である。
（１）と（３）とがθout０〜２０°の範囲において互いに交差する。第２辺３Ａの第３頂点ｑ３近傍からの入射光線は（４）で示される。全てのθinに対し、θout＞０°となり、採光に寄与する光線である。射出角θout＜２０°である。
【００７７】
入射角と射出角との関係から、任意のθinに対して（１）、（３）、（４）のいずれかの場合でθoutが０〜２０°の範囲に存在する。つまり、太陽高度が変化しても、常に天井の奥を照射する光線が有り、室内全体が照明され、高い節電効果が得られる。一方でθinが変化してもグレアを引き起こさない。
【００７８】
本実施形態の採光フィルム１の構成によれば、窓ガラス１００３（採光フィルム１）を通して室内１００６に入射した光Ｌを効率良く天井１００１へと向かわせることができる。本実施形態では、窓ガラス１００３を通して室内１００６に入射した光Ｌのうち、グレア領域Ｇに向かう光や床１００２に向かう光の輝度を低減しながら、天井１００１に向かう光の輝度を相対的に高めることが可能である。このため、グレア光を抑制して室内１００６に居る人Ｍａ，Ｍｂに眩しさを感じさせることなく、屋外の自然光（太陽光）を十分に利用して室内１００６の明るい環境を確保することができる。
【００７９】
［第２実施形態］
次に、本発明における第２実施形態の採光フィルム１２について説明する。
以下に示す本実施形態の採光フィルム１２の基本構成は、上記第１実施形態と略同様であるが、採光部１３の断面形状が異なる。よって、以下の説明では、採光部１３の形状について詳しく説明し、共通な箇所の説明は省略する。また、説明に用いる各図面において、図１〜図１０と共通の構成要素には同一の符号を付すものとする。
【００８０】
図１１は、第２実施形態の採光フィルム１２の全体構成を示す図である。
図１２は、第２実施形態の採光部１３の断面形状を示す図である。
図１１に示すように、本実施形態における採光フィルム１２は、長手方向と直交する断面形状が５角形とされた採光部１３を複数有している。
【００８１】
図１１および図１２に示すように、複数の採光部１３の各々は、第１辺３Ｆ、第２辺３Ａ、第３辺３Ｃ、第４辺３Ｄおよび第５辺３Ｂと、第１頂点ｑ１、第２頂点ｑ２、第３頂点ｑ３、第４頂点ｑ４、第５頂点ｑ５および第６頂点ｑ６と、を有しており、第１辺３Ｆ側が第１基材２の第１面２ａに接している。
【００８２】
採光部１３において、第１基材２の第１面２ａに接する第１辺３Ｆの両端にあたる頂点のうち、上方に位置する頂点が第１頂点ｑ１であり、下方に位置する頂点が第２頂点ｑ２である。第３頂点ｑ３は、第１辺３Ｆ上に位置せず、第１辺３Ｆから最も離れた頂点である。第３頂点ｑ３を通る第１辺３Ｆの垂線よりも下方に位置する頂点は、第４頂点ｑ４である。第３頂点ｑ３を通る第１辺３Ｆの垂線よりも上方に位置する頂点は、第５頂点ｑ５である。第５辺３Ｂと第１辺３Ｆとのなす角の角度ｂは、第２辺３Ａと第１辺３Ｆとのなす角の角度ａと９０°との間である。つまり、ａ＜ｂ＜９０°である。
【００８３】
第３頂点ｑ３を通る第１辺３Ｆの垂線の長さＬは、複数の頂点のうち、第３頂点ｑ３以外の頂点ｑ４，ｑ５を通る第１辺３Ｆの垂線の長さＬ１，Ｌ２よりも長い。
第４頂点ｑ４を通る第１辺３Ｆの垂線の長さＬ１は、第５頂点ｑ５を通る第１辺３Ｆの垂線の長さＬ２よりも長い。
【００８４】
このように、本実施形態における採光部１３においても、第３頂点ｑ３を通る第１辺３Ｆの垂線を中心としたその両側で非対称の形状をなす。つまり、第１頂点ｑ１及び第５頂点ｑ５を含む上部の体積に対して、第２頂点ｑ２及び第４頂点ｑ４を含む下部の体積の方が大きい形状となっている。
【００８５】
基材の単位面積当たりの採光効果を高めるには、採光部材のうちの採光に寄与する部分を高密度で配置する、つまり、図１のピッチＰの値を小さくすることで実現できる。採光効果に寄与しない第２辺３Ａの第１頂点ｑ１に近い側（基材側）を基材に対して垂直に近い角度で傾斜させることにより、採光部材の幅Ｗが小さくなり、ひいてはピッチＰの値を小さくすることができる。これにより、単位面積当たりの採光に寄与する部分の割合が高まり、採光効果をより向上させることができる。
【００８６】
［第３実施形態］
以下に示す本実施形態の採光フィルム２２の基本構成は、上記第１実施形態と略同様であるが、採光部２３の断面形状が異なる。よって、以下の説明では、採光部２３の形状について詳しく説明し、共通な箇所の説明は省略する。また、説明に用いる各図面において、図１〜図１２と共通の構成要素には同一の符号を付すものとする。
図１３は、第３実施形態の採光フィルム２２の全体構成を示す図である。
図１４は、第３実施形態の採光部２３の断面形状を示す図である。
図１３に示すように、本実施形態における採光フィルム２２は、長手方向と直交する断面形状が５角形とされた採光部２３を複数有している。
【００８７】
図１３、図１４、および図１５に示すように、複数の採光部２３の各々は、第１辺３Ｆ、第２辺３Ａ、第３辺３Ｃ、第４辺３Ｄおよび第６辺３Ｅと、第１頂点ｑ１、第２頂点ｑ２、第３頂点ｑ３、第４頂点ｑ４、第６頂点ｑ６と、を有しており、第１辺３Ｆ側が第１基材２の第１面２ａに接している。
【００８８】
採光部２３において、第１基材２の第１面２ａに接する第１辺３Ｆの両端にあたる頂点のうち、上方に位置する頂点が第１頂点ｑ１であり、下方に位置する頂点が第２頂点ｑ２である。第３頂点ｑ３は、第１辺３Ｆ上に位置せず、第１辺３Ｆから最も離れた頂点である。第３頂点ｑ３を通る第１辺３Ｆの垂線よりも下方に位置する頂点のうち、第３頂点に近い方が第４頂点ｑ４であり、第２頂点に近い方が第６頂点ｑ６である。第６辺３Ｅと第１辺３Ｆとのなす角の角度ｅは、第４辺３Ｄと第１辺３Ｆとのなす角の角度ｄと９０°との間である。つまり、ｄ＜ｅ＜９０°である。
【００８９】
図１５に、第２辺３Ａの第３頂点ｑ３近傍から入射した光の、太陽高度がさらに高く６０°を超えるような場合（入射角θin＞６０°）の光路図を示す。第２辺３Ａの第３頂点ｑ３近傍から入射した光は、屈折して斜め下方へ進み、第３辺３Ｃで全反射し、その後第６辺３Ｅでさらに全反射し、方向を上方へ転換して、第１基材２の第２面２ｂにおいてさらに斜め上方に屈折されて第１空間Ｓ１へ向かって射出する。射出角θoutはおおよそ０〜２０°の範囲となり、天井奥を照射する光線となり、採光に寄与する。
【００９０】
第２辺３Ａの第３頂点ｑ３近傍から入射した光の、入射角θinが６０°を超える範囲での射出角θoutは図１６中の符号５で表わされる。図１６からわかるように、太陽高度が高い６０°を超えるような場合（入射角θin＞６０°）にも、採光効果を得ることができる。
【００９１】
［第４実施形態］
以下に示す本実施形態の採光フィルム３２の基本構成は、上記第１実施形態と略同様であるが、採光部３３の断面形状が異なる。よって、以下の説明では、採光部３３の形状について詳しく説明し、共通な箇所の説明は省略する。また、説明に用いる各図面において、図１〜図１６と共通の構成要素には同一の符号を付すものとする。
図１７は、第４実施形態の採光フィルム３２の全体構成を示す図である。
図１８は、第４実施形態の採光部３３の断面形状を示す図である。
図１７に示すように、本実施形態における採光フィルム３２は、長手方向と直交する断面形状が６角形とされた採光部３３を複数有している。
【００９２】
図１７および図１８に示すように、複数の採光部３３の各々は、第１辺３Ｆ、第２辺３Ａ、第３辺３Ｃ、第４辺３Ｄ、第５辺３Ｂおよび第６辺３Ｅと、第１頂点ｑ１、第２頂点ｑ２、第３頂点ｑ３、第４頂点ｑ４、第５頂点ｑ５、第６頂点ｑ６と、を有しており、第１辺３Ｆ側が第１基材２の第１面２ａに接している。
【００９３】
採光部３３において、第１基材２の第１面２ａに接する第１辺３Ｆの両端にあたる頂点のうち、上方に位置する頂点が第１頂点ｑ１であり、下方に位置する頂点が第２頂点ｑ２である。第３頂点ｑ３は、第１辺３Ｆ上に位置せず、第１辺３Ｆから最も離れた頂点である。第３頂点ｑ３を通る第１辺３Ｆの垂線よりも下方に位置する頂点のうち、第３頂点に近い方が第４頂点ｑ４であり、第２頂点に近い方が第６頂点ｑ６である。第３頂点ｑ３を通る第１辺３Ｆの垂線よりも上方に位置する頂点は第５頂点ｑ５である。それぞれの辺と第１辺３Ｆとのなす角は、第２辺３Ａ、第３辺３Ｃ、第４辺３Ｄは［第１実施形態］と同様である。第５辺３Ｂは［第２実施形態］と同様であり、第６辺３Ｅは［第３実施形態］と同様である。採光部３３は、第１辺〜第６辺からなる６角形とすることで、［第１実施形態］〜［第３実施形態］における、各辺による採光効果とグレア抑制の特性を複合的に得られる。採光効果においては、θinの変化に関わらず天井奥を照射する、単位面積当たり高い採光効果を得られる。一方でグレアは引き起こされない。したがって、採光フィルム３２によって、節電効果が高く、快適な室内の光環境を実現できる。
【００９４】
［第５実施形態］
次に、本発明における第５実施形態の採光フィルム４２について説明する。
以下に示す本実施形態の採光フィルム４２の基本構成は、上記第１実施形態と略同様であるが、採光部周辺の構造が異なる。よって、以下の説明では、採光部周辺の構造について詳しく説明し、共通な箇所の説明は省略する。また、説明に用いる各図面において、図４と共通の構成要素には同一の符号を付すものとする。
【００９５】
図１９は、第５実施形態の採光フィルム４２の全体構成を示す図である。
図１９に示すように、本実施形態の採光フィルム４２は、隣り合う採光部４３同士が隣接して配置されており、各採光部４３の第１辺３Ｆの端部同士（隣り合う一方の採光部３の第１頂点ｑ１と他方の採光部３の第２頂点ｑ２と）が接している。
【００９６】
なお、上記した第２実施形態及び第４実施形態における採光フィルムの他の構成例として、図２０、図２１に示すように、隣り合う採光部１３同士または隣り合う採光部５３，６３同士が隣接配置された構成の採光フィルム５２，６２としてもよい。
【００９７】
上記各実施形態では、窓ガラス８の室内側の面に採光フィルム１，１２，２２，３２，４２，５２，６２が貼り合わされているが、窓ガラス８の室外側（屋外側）の面に採光フィルム１，１２，２２，３２，４２，５２，６２を貼り合せてもよい。いずれの場合も、第１基材２を室内側に向けた状態で貼り合わせればよい。また、二重窓のような２枚のガラス間に採光フィルム１，１２，２２，３２，４２，４４設置することも可能である。
【００９８】
また、上記各実施形態に係る窓ガラス８については、上述した固定式の窓枠に設置される場合に限らず、例えば開閉式の窓枠に設置された構成であってもよい。例えば、上下方向に回動される回動方式や、左右方向に回動される回動方式の窓枠に設置されてもよいし、上下方向又は左右方向にスライドされるスライド方式の窓枠に設置されてもよい。
【００９９】
［第６実施形態］
（ロールスクリーン）
次に、本発明の第６実施形態として、例えば、図２２及び図２３に示すロールスクリーン（採光装置）３０１について説明する。
なお、図２２は、ロールスクリーン３０１の概略構成を示す斜視図である。図２３は、図２２中に示すロールスクリーン３０１のＥ−Ｅ’線に沿った断面図である。また、以下の説明では、上記採光フィルムと同等の部位については、説明を省略するとともに、図面において同じ符号を付すものとする。
【０１００】
ロールスクリーン３０１は、図２２及び図２３に示すように、採光スクリーン３０２と、採光スクリーン３０２を巻き取り自在に支持する巻き取り機構３０３とを備えている。
【０１０１】
採光スクリーン３０２は、図２２に示すように、光透過性を有するフィルム状（シート状）の第１基材２と、第１基材２の第１面２ａに並んで形成された複数の採光部３と、複数の採光部３の各々の間に形成された複数の空隙部９とを備えた採光部材３００と、を備え、採光部材３００を通して外光を採り入れるものである。採光スクリーン３０２は、上記採光フィルム１と基本的に同じ構造を有している。但し、第１基材２の厚みについては、ロールスクリーン３０１に適した厚みとなっている。
【０１０２】
図２２に示すように、巻き取り機構３０３は、採光スクリーン３０２の上端部に沿って取り付けられた巻芯（支持部材）３０４と、採光スクリーン３０２の下端部に沿って取り付けられた下パイプ（支持部材）３０５と、採光スクリーン３０２の下端部中央に取り付けられた引張りコード３０６と、巻芯３０４に巻き取られた採光スクリーン３０２を収納する収納ケース３０７とを備えている。
【０１０３】
巻き取り機構３０３は、プルコード式として、採光スクリーン３０２を引っ張り出した位置で固定させたり、引っ張り出した位置からさらに引張りコード３０６を引っ張ることで、固定を解除して採光スクリーン３０２を巻芯３０４に自動的に巻き取らせたりすることが可能である。なお、巻き取り機構３０３については、このようなプルコード式に限らず、巻芯３０４をチェーンで回転させるチェーン式の巻き取り機構や、巻芯３０４をモータにより回転させる自動式の巻き取り機構等であってもよい。
【０１０４】
以上のような構成を有するロールスクリーン３０１は、窓ガラス３０８の上部に収納ケース３０７を固定した状態で、この収納ケース３０７に収納された採光スクリーン３０２を引張りコード３０６で引っ張り出しながら、窓ガラス３０８の内面に対向させた状態で使用される。このとき、採光スクリーン３０２は、窓ガラス３０８に対して複数の採光部３の並び方向が窓ガラス３０８の縦方向（鉛直方向）と一致する向きで配置される。つまり、採光スクリーン３０２は、窓ガラス３０８に対して複数の採光部３の長手方向が窓ガラス３０８の横方向（水平方向）と一致するように配置される。
【０１０５】
窓ガラス３０８の内面に対向させた採光スクリーン３０２は、窓ガラス３０８を通して室内に入射した光を複数の採光部３で光の進行方向を変えながら、室内の天井に向けて照射する。また、天井に向かう光は、天井で反射して室内を照らすため、照明光の代わりとなる。したがって、このようなロールスクリーン３０１を用いた場合、日中に建物内の照明設備が消費するエネルギーを節約する省エネルギー効果が期待できる。
【０１０６】
以上のように、本実施形態のロールスクリーン３０１を用いた場合には、屋外の自然光（太陽光）を室内に効率よく取り入れるとともに、室内に居る人に眩しさを感じさせずに、室内の奥の方まで明るく感じさせることができ、なおかつ太陽の高度変化に伴う照射位置の変動を抑制することが可能である。
【０１０７】
また、本発明の実施形態に係るロールスクリーンとしては、図示を省略するものの、上記ロールスクリーン３０１の構成に加えて、第１基材２の第２面２ｂ側に、例えば、グレア領域Ｇに向かう方向の光を拡散させるための光拡散フィルムや、自然光（太陽光）の輻射熱を遮断するための光透過性を有する断熱フィルムなどの機能性フィルムを配置した構成とすることも可能である。
【０１０８】
［第７実施形態］
（ブラインド）
次に、本発明の第７実施形態として、例えば、図２４に示すブラインド（採光装置）４０１について説明する。
図２４は、ブラインドの概略構成を示す斜視図である。図２５Ａ、図２５Ｂは、ブラインド４０１の概略構成を示す斜視図であり、図２５Ａは、ブラインド４０１の開状態を示し、図２５Ｂは、ブラインド４０１の閉状態を示す。図２５Ａ，図２５Ｂは、複数の採光スラット４０２の概略構成を示す図である。
また、以下の説明では、上記採光フィルム１と同様の部位については説明を省略するとともに、図面において同じ符号を付すものとする。
【０１０９】
ブラインド４０１は、図２４に示すように、所定の間隔を空けて並んで配置された複数の採光スラット４０２と、複数の採光スラット４０２を互いに傾動自在に支持する傾動機構（支持機構）４０３と、傾動機構（支持機構）４０３によって連結された複数の採光スラット４０２を出し入れ可能に折り畳んで収納する収納機構４０８と、を備えている。
【０１１０】
複数の採光スラット４０２は、図２５Ａ、図２５Ｂ及び図２６に示すように、光透過性を有する長尺板状の第１基材２と第１基材２の第１面２ａに並んで形成された複数の採光部３と、複数の採光部３の各々の間に形成された複数の空隙部９とを備えた採光部材である。各採光スラット４０２は、上記採光フィルム１と基本的に同じ構造を有している。
但し、第１基材２の形状については、上述した各実施形態の採光フィルムや採光スクリーンとは異なっている。
【０１１１】
傾動機構４０３は、複数のラダーコード４０４を備えている。複数のラダーコード４０４は、図示を省略するものの、採光スラット４０２の長手方向に並ぶことによって、複数の採光スラット４０２を支持している。具体的に、ラダーコード４０４は、互いに平行に並ぶ一対の縦コード４０５ａ、４０５ｂと、縦コード４０５ａ、４０５ｂの間に掛け渡されるとともに、縦コード４０５ａ、４０５ｂの長手方向に等間隔に並ぶ複数の横コード４０６とを有している。また、ラダーコード４０４は、横コード４０６を構成する一対の保持コード４０７ａ，４０７ｂにより採光スラット４０２を挟み込みながら、採光スラット４０２を縦コード４０５ａ，４０５ｂの間で保持している。
【０１１２】
傾動機構４０３は、図示を省略するものの、一対の縦コード４０５ａ，４０５ｂを互いに逆向きに上下方向に移動操作する操作機構を備えている。そして、傾動機構４０３では、この操作機構による一対の縦コード４０５ａ，４０５ｂの移動操作によって、複数の採光スラット４０２を互いに同期させながら傾動させることが可能となっている。
【０１１３】
以上のような構成を有するブラインド４０１は、窓ガラス（図示せず。）の上部から吊り下げられた状態で、この窓ガラスの内面に対向させた状態で使用される。このとき、各採光スラット４０２は、窓ガラスに対して複数の採光部３の並び方向が窓ガラスの縦方向（鉛直方向）と一致する向きで配置される。換言すると、採光スラット４０２は、窓ガラスに対して複数の採光部３の延長方向が窓ガラスの横方向（水平方向）と一致するように配置される。
【０１１４】
図２６に示すように、窓ガラスの内面に対向させたブラインド４０１は、この窓ガラスを通して室内に入射した光Ｌを複数の採光部３で光の進行方向を変えながら、屋内の天井に向けて照射する。また、天井に向かう光Ｌは、天井で反射して室内を照らすため、照明光の代わりとなる。したがって、このようなブラインド４０１を用いた場合、日中に建物内の照明設備が消費するエネルギーを節約する省エネルギー効果が期待できる。
【０１１５】
また、ブラインド４０１では、複数の採光スラット４０２を傾動させることによって、天井に向かう光Ｌの角度を調整することができる。さらに、複数の採光スラット４０２の間から入射する光を調整することができる。
【０１１６】
また、ブラインド４０１では、図２７に示すように、採光スラット４０２の向きを１８０°反転させた場合でも、採光スラット４０２の向きを反転させる前と同様に、窓ガラスを通して室内に入射した光Ｌを複数の採光部３で光の進行方向を変えながら、屋内の天井に向けて照射することができる。
【０１１７】
また、図２８に示すように、長尺板状の第１基材２の第２面２ｂ側に長尺板状のスラット部材４０９を別途設けてもよい。この場合、第１基材２とスラット部材４０９との屈折率が略同等であることが望ましい。
【０１１８】
以上のように、本実施形態のブラインド４０１を用いた場合には、屋外の自然光（太陽光）を屋内に効率良く採り入れると共に、屋内に居る人に眩しさを感じさせずに、屋内の奥の方まで明るく感じさせることができ、なお且つ、太陽の高度変化に伴う照射位置の変動を抑制することが可能である。
【０１１９】
なお、本発明は、上記第７実施形態のブラインド４０１の構成に必ずしも限定されるものではなく、本発明の趣旨を逸脱しない範囲において種々の変更を加えることが可能である。
【０１２０】
例えば、本発明の実施形態に係るブラインドとしては、図示を省略するものの、上記ブラインド４０１の構成に加えて、第１基材２の第２面２ｂ側に、例えば、グレア領域Ｇに向かう方向の光を拡散させるための光拡散フィルム（光拡散部材）や、自然光（太陽光）の輻射熱を遮断するための光透過性を有する断熱フィルム（断熱部材）などの機能性フィルム（機能部材）を配置した構成とすることも可能である。
【０１２１】
また、本発明の実施形態に係るブラインドとしては、上記採光スラット４０２と共に、遮光性を有する遮光スラットを組み合わせて使用することも可能である。この場合、複数の採光スラット４０２により構成される採光部と、この採光部の下方に位置して、複数の遮光スラットにより構成される遮光部とを備えた構成とする。この構成により、窓ガラスを通して室内に入射した光を、採光部を構成する複数の採光スラット４０２によって屋内の天井に向けて照射すると共に、遮光部を構成する複数の遮光スラットによってグレア領域に向かう光を遮光することができる。
【０１２２】
［照明調光システム］
図３６は、採光装置及び照明調光システムを備えた部屋モデル２０００であって、図３７のＪ−Ｊ’線に沿う断面図である。図３７は、部屋モデル２０００の天井を示す平面図である。
【０１２３】
部屋モデル２０００において、外光が導入される部屋２００３の天井２００３ａを構成する天井材は、高い光反射性を有していてもよい。図３６及び図３７に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【０１２４】
この光反射性天井材２００３Ａは、先に述べたように、採光装置２０１０（上述したいずれかの実施形態の採光装置）が設置された窓２００２を介して室内に導入された外光を室内の奥の方まで効率よく導く働きをする。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【０１２５】
光反射性天井材２００３Ａは、拡散反射性であってもよいし、鏡面反射性であってもよいが、室内の奥に置かれた机２００５の机上面２００５ａを明るくする効果と、室内に居る人とって不快なグレア光を抑える効果を両立するために、両者の特性が適度にミックスされたものが好ましい。
【０１２６】
採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【０１２７】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作成することができる。あるいは、エンボス加工によって形成される凹凸がもっと大きな周期の曲面で形成されていてもよい。
【０１２８】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【０１２９】
採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系と、天井２００３ａに設置された光反射性天井材２００３Ａと、を含む部屋全体の構成部材から構成される。
【０１３０】
部屋２００３の窓２００２には、上部側に採光装置２０１０が設置され、下部側に日射調整装置２００８が設置されている。ここでは、日射調整装置２００８として、ブラインドが設置されているが、これに限らない。
【０１３１】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【０１３２】
図３６及び図３７に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）及び奥行方向（Ｘ方向）に、それぞれ１．８ｍの間隔Ｐをおいて格子状に配置されている。
より具体的には、５０個の室内照明装置２００７が１０行（Ｙ方向）×５列（Ｘ方向）に配列されている。
【０１３３】
室内照明装置２００７は、室内照明器具２００７ａと、明るさ検出部２００７ｂと、制御部２００７ｃと、を備え、室内照明器具２００７ａに明るさ検出部２００７ｂ及び制御部２００７ｃが一体化されて構成されたものである。
【０１３４】
室内照明装置２００７は、室内照明器具２００７ａ及び明るさ検出部２００７ｂをそれぞれ複数ずつ備えていてもよい。但し、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００ｂによって、室内に置かれた机２００５の机上面２００５ａの照度を検出する。
【０１３５】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０１３６】
図３８は、採光装置によって室内に採光された光（自然光）の照度と、室内照明装置による照度（照明調光システム）との関係を示すグラフである。図３８において、縦軸は机上面の照度（ｌｘ）を示し、横軸は窓からの距離（ｍ）を示している。また、図中の破線は、室内の目標照度を示している。（●：採光装置による照度、△：室内照明装置による照度、◇：合計照度）
【０１３７】
図３８に示すように、採光装置２０１０により採光された光に起因する机上面照度は、窓近傍ほど明るく、窓から遠くなるに従ってその効果は小さくなる。採光装置２０１０を適用した部屋では、昼間において窓からの自然採光によりこのような部屋奥方向への照度分布が生じる。そこで、採光装置２０１０は、室内の照度分布を補償する室内照明装置２００７と併用して用いられる。室内天井に設置された室内照明装置２００７は、それぞれの装置の下の平均照度を明るさ検出部２００７ｂによって検出し、部屋全体の机上面照度が一定の目標照度Ｌ０になるように調光制御されて点灯する。
【０１３８】
従って、窓近傍に設置されているＳ１列、Ｓ２列はほとんど点灯せず、Ｓ３列、Ｓ４列、Ｓ５列と部屋奥方向に向かうに従って出力を上げながら点灯される。結果として、部屋の机上面は自然採光による照度と室内照明装置２００７による照明の合計で照らされ、部屋全体に渡って執務をする上で十分とされる机上面照度である７５０ｌｘ（「ＪＩＳ  Ｚ９１１０  照明総則」の執務室における推奨維持照度）を実現することができる。
【０１３９】
以上述べたように、採光装置２０１０と照明調光システム（室内照明装置２００７）とを併用することにより、室内の奥の方まで光を届けることが可能となり、室内の明るさをさらに向上させることができるとともに部屋全体に渡って執務をする上で十分とされる机上面照度を確保することができる。したがって、季節や天気による影響を受けずにより一層安定した明るい光環境が得られる。
【０１４０】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【産業上の利用可能性】
【０１４１】
本発明のいくつかの態様は、グレアを抑制することが必要な採光部材、採光装置、および採光部材の設置方法などに適用することができる。
【符号の説明】
【０１４２】
１，１２，２２，３２，４２，５２，６２…採光フィルム（採光部材）、２…第１基材、２ａ…第１面、２ｂ…第２面、３，１３，２３，３３…採光部（多角柱状構造体）、３Ｆ，７Ａ…第１辺、３Ａ，７Ｂ…第２辺、３Ｃ，７Ｃ，…第３辺（第２辺）、３Ｄ…第４辺（第３辺）、３Ｂ…第５辺、３Ｅ…第６辺、７…補助採光部、８…窓ガラス（透明構造物）、９…空隙部、Ｌ，Ｌ１，Ｌ２…光、Ｌ，Ｌ１，Ｌ２…長さ、ｑ１…第１頂点、ｑ２…第２頂点、ｑ３…第３頂点、ｑ４…第４頂点、ｑ５…第５頂点、ｑ６…第６頂点、３００…採光部材、３０１…ロールスクリーン（採光装置）、３０３…巻き取り機構、３０４…巻芯（支持部材）、３０５…下パイプ（支持部材）、４０１…ブラインド（採光装置）、４０８…収納機構、２００７…室内照明装置、２０１０…採光装置
【図１】
2017022792.tif 000021
【図２】
2017022792.tif 000022
【図３】
2017022792.tif 000023
【図４】
2017022792.tif 000024
【図５】
2017022792.tif 000025
【図６Ａ】
2017022792.tif 000026
【図６Ｂ】
2017022792.tif 000027
【図６Ｃ】
2017022792.tif 000028
【図６Ｄ】
2017022792.tif 000029
【図７Ａ】
2017022792.tif 000030
【図７Ｂ】
2017022792.tif 000031
【図７Ｃ】
2017022792.tif 000032
【図８Ａ】
2017022792.tif 000033
【図８Ｂ】
2017022792.tif 000034
【図８Ｃ】
2017022792.tif 000035
【図９Ａ】
2017022792.tif 000036
【図９Ｂ】
2017022792.tif 000037
【図９Ｃ】
2017022792.tif 000038
【図９Ｄ】
2017022792.tif 000039
【図１０】
2017022792.tif 000040
【図１１】
2017022792.tif 000041
【図１２】
2017022792.tif 000042
【図１３】
2017022792.tif 000043
【図１４】
2017022792.tif 000044
【図１５】
2017022792.tif 000045
【図１６】
2017022792.tif 000046
【図１７】
2017022792.tif 000047
【図１８】
2017022792.tif 000048
【図１９】
2017022792.tif 000049
【図２０】
2017022792.tif 000050
【図２１】
2017022792.tif 000051
【図２２】
2017022792.tif 000052
【図２３】
2017022792.tif 000053
【図２４】
2017022792.tif 000054
【図２５Ａ】
2017022792.tif 000055
【図２５Ｂ】
2017022792.tif 000056
【図２６】
2017022792.tif 000057
【図２７】
2017022792.tif 000058
【図２８】
2017022792.tif 000059
【図２９】
2017022792.tif 000060
【図３０】
2017022792.tif 000061
【図３１Ａ】
2017022792.tif 000062
【図３１Ｂ】
2017022792.tif 000063
【図３１Ｃ】
2017022792.tif 000064
【図３２Ａ】
2017022792.tif 000065
【図３２Ｂ】
2017022792.tif 000066
【図３２Ｃ】
2017022792.tif 000067
【図３３】
2017022792.tif 000068
【図３４】
2017022792.tif 000069
【図３５Ａ】
2017022792.tif 000070
【図３５Ｂ】
2017022792.tif 000071
【図３６】
2017022792.tif 000072
【図３７】
2017022792.tif 000073
【図３８】
2017022792.tif 000074
【国際調査報告】
2017022792.tif 000075
2017022792.tif 000076
2017022792.tif 000077
2017022792.tif 000078